(57)【要約】【課題】ユーザーが操作カバーのどの位置を押しても、確実にスイッチ動作させることができ、且つスイッチ動作をした事実をユーザーに確実に実感させるようにする。【解決手段】スイッチ操作装置３は、メンブレンスイッチ４においてその中心部４ｐを間において対応する部位に、それぞれメンブレンスイッチ４の厚み方向へ延び一面４ａ側の端が壁６Ａａ、６Ｂａとなっている切欠溝状をなす凹部６Ａ、６Ｂを形成し、操作カバー５にあって各凹部６Ａ、６Ｂと対応する部位に、それぞれ対応する凹部に遊嵌して該凹部内を移動可能な凸部６Ｃ、６Ｄを形成し、該操作カバー５の装着状態であって且つ該操作カバー４の非操作時において凸部６Ｃ、６Ｄが凹部６Ａ、６Ｂの壁６Ａａ、６Ｂａと離間する構成である。【選択図】図１
2010108690.tif 000002
【特許請求の範囲】
【請求項１】
一面のほぼ中心部にスイッチ操作面を有する平面視四角形のメンブレンスイッチと、このメンブレンスイッチにおける前記一面を覆うように装着され前記メンブレンスイッチと平面視がほぼ同形状の操作カバーとを備え、該操作カバーをユーザーが押し操作することにより前記メンブレンスイッチの前記スイッチ操作面を操作するスイッチ操作装置であって、
前記スイッチ操作面と、前記操作カバーにおいて該スイッチ操作面と対向する部位とのうちの少なくとも一方を、相手方向へ湾曲状に膨出する形状に形成し、
前記メンブレンスイッチの両側面の、該メンブレンスイッチの前記中心部を間において対応する部位に、それぞれ該メンブレンスイッチの厚み方向へ延び前記一面側の端が壁となっている切欠溝状をなす凹部を形成し、
前記操作カバーは少なくとも両側に側板部を備え、該操作カバーの該両側の側板部の内側であって前記各凹部と対応する部位に、それぞれ対応する凹部に遊嵌して該凹部内を移動可能な凸部を形成し、
前記凹部及び凸部は、前記メンブレンスイッチの前記中心部を間において対応する２つの前記凹部と、当該凹部に遊嵌する２つの前記凸部とを一組として、複数組設けられ、
該凸部を前記凹部に遊嵌することにより前記操作カバーを前記メンブレンスイッチに装着し、該操作カバーの装着状態であって且つ該操作カバーの非操作時において前記凸部が前記凹部の前記壁と離間することを特徴とするスイッチ操作装置。
【請求項２】
一面のほぼ中心部にスイッチ操作面を有する平面視四角形のメンブレンスイッチと、このメンブレンスイッチにおける前記一面を覆うように装着され前記メンブレンスイッチと平面視がほぼ同形状の操作カバーとを備え、該操作カバーをユーザーが押し操作することにより前記メンブレンスイッチの前記スイッチ操作面を操作するスイッチ操作装置であって、
前記スイッチ操作面と、前記操作カバーにおいて該スイッチ操作面と対向する部位とのうちの少なくとも一方を、相手方向へ湾曲状に膨出する形状に形成し、
前記メンブレンスイッチの両側面の、該メンブレンスイッチの前記中心部を間において対応する部位に、凸部を形成し、
前記操作カバーは少なくとも両側に側板部を備え、該操作カバーの該両側の側板部の内側であって前記各凸部と対応する部位に、該側板部の基端部側から先端部側へ延び該先端側の端が壁部となっている切欠溝状をなし前記凸部が移動可能に遊嵌する凹部を形成し、
前記凸部及び凹部は、前記メンブレンスイッチの前記中心部を間において対応する２つの前記凸部と、当該凸部を遊嵌する２つの前記凹部とを一組として、複数組設けられ、
前記凸部を前記凹部に遊嵌することにより前記操作カバーを前記メンブレンスイッチに装着し、該操作カバーの装着状態であって且つ該操作カバーの非操作時において前記凸部が前記凹部の前記壁と離間することを特徴とするスイッチ操作装置。
【請求項３】
一面のほぼ中心部にスイッチ操作面を有する平面視円形又は楕円形のメンブレンスイッチと、このメンブレンスイッチにおける前記一面を覆うように装着され前記メンブレンスイッチと平面視がほぼ同形状の操作カバーとを備え、該操作カバーをユーザーが押し操作することにより前記メンブレンスイッチの前記スイッチ操作面を操作するスイッチ操作装置であって、
前記スイッチ操作面と、前記操作カバーにおいて該スイッチ操作面と対向する部位とのうちの少なくとも一方を、相手方向へ湾曲状に膨出する形状に形成し、
前記メンブレンスイッチの側面の、該メンブレンスイッチの中心部を間において対応する部位に、それぞれ該メンブレンスイッチの厚み方向へ延び前記一面側の端が壁となっている切欠溝状をなす凹部を形成し、
前記操作カバーは周縁部に側板部を備え、該操作カバーの該側板部の内側であって前記各凹部と対応する部位に、該凹部に遊嵌して該凹部内を移動可能な凸部を形成し、
前記凹部及び凸部は、前記メンブレンスイッチの前記中心部を間において対応する２つの前記凹部と、当該凹部に遊嵌する２つの前記凸部とを一組として、複数組設けられ、
該凸部を前記凹部に遊嵌することにより前記操作カバーを前記メンブレンスイッチに装着し、該操作カバーの装着状態であって且つ該操作カバーの非操作時において前記凸部が前記凹部の前記上面壁と離間することを特徴とするスイッチ操作装置。
【請求項４】
一面のほぼ中心部にスイッチ操作面を有する平面視円形又は楕円形のメンブレンスイッチと、このメンブレンスイッチにおける前記一面を覆うように装着され前記メンブレンスイッチと平面視がほぼ同形状の操作カバーとを備え、該操作カバーをユーザーが押し操作することにより前記メンブレンスイッチの前記スイッチ操作面を操作するスイッチ操作装置であって、
前記スイッチ操作面と、前記操作カバーにおいて該スイッチ操作面と対向する部位とのうちの少なくとも一方を、相手方向へ湾曲状に膨出する形状に形成し、
前記メンブレンスイッチの側面の、該メンブレンスイッチの前記中心部を間において対応する部位に、凸部を形成し、
前記操作カバーは周縁部に側板部を備え、該操作カバーの該側板部の内側であって前記各凸部と対応する部位に、該側板部の基端部側から先端部側へ延び該先端側の端が壁部となっている切欠溝状をなし前記凸部が移動可能に遊嵌する凹部を形成し、
前記凸部及び凹部は、前記メンブレンスイッチの前記中心部を間において対応する２つの前記凸部と、当該凸部を遊嵌する２つの前記凹部とを一組として、複数組設けられ、
前記凸部を前記凹部に遊嵌することにより前記操作カバーを前記メンブレンスイッチに装着し、該操作カバーの装着状態であって且つ該操作カバーの非操作時において前記凸部が前記凹部の前記壁と離間することを特徴とするスイッチ操作装置。
【請求項５】
前記メンブレンスイッチのスイッチ動作ストロークをＬｓｗ［ｍｍ］とし、
該操作カバーの装着状態であって且つ該操作カバーの非操作時において、前記メンブレンスイッチの前記スイッチ操作面が、前記操作カバーにおいて該スイッチ操作面と対向する部位と接触した状態で、前記凸部と前記凹部の前記壁との離間距離をＡ［ｍｍ］とし、該メンブレンスイッチの前記一面の周縁部と前記操作カバーにあって該周縁部と対向する部位との離間距離をＢ［ｍｍ］とし、操作余裕距離をＣ［ｍｍ］としたとき、前記Ｂを、
Ｂ＝Ａ＋２×Ｌｓｗ＋Ｃ
に設定したことを特徴とする請求項１ないし４のいずれかに記載のスイッチ操作装置。
【発明の詳細な説明】
【技術分野】
【０００１】
本発明は、メンブレンスイッチを操作カバーにより操作するスイッチ操作装置に関する。
【背景技術】
【０００２】
近時、メンブレンスイッチは建物の壁などに組み込まれるセキュリティ装置や認証装置などにも広く用いられており、この認証装置において人目に触れる部分は、デザイン性を良くすることが強く要求されている。具体的には、建物に溶け込むようなデザイン性が要求されており、その結果として建物に溶け込みやすい薄型デザイン化が進んでいる。
【０００３】
また、認証装置のリーダ装置は、屋外で風雨に晒される場合があり、風雨に耐える耐久性も求められる。
特許文献１には、メンブレンスイッチを操作カバーでカバーする構成が記載されており、この構成によれば、とりあえず、薄型及び耐久性の向上を図り得る。又、特許文献２には、作動板上に、プッシュスイッチと、これを上方で跨ぐようにＬＥＤユニットを設け、このＬＥＤユニットに前記プッシュスイッチに対応して貫通穴を設け、操作カバーの側板の凹部とＬＥＤユニット側面の凸部に遊嵌することで該操作カバーを上下動可能にＬＥＤユニットに装着し、該操作カバーの裏面に前記貫通穴を通過して前記プッシュスイッチと対向する押圧部材を設け、該操作カバーを押圧操作すると、前記押圧部材が前記プッシュスイッチを押圧してスイッチ動作させる構成が記載されている。
【特許文献１】実開昭６２−２００２１７号公報
【特許文献２】特開２００３−１６２９３４号公報
【発明の開示】
【発明が解決しようとする課題】
【０００４】
ところで、前述したセキュリティ装置や認証装置などに用いられるメンブレンスイッチに特許文献１、２のように単にカバー部材を設けた場合、ユーザーがカバー部材を押し操作したときに、自己の操作が適切になされたことを通知する操作性を有する必要がある。つまり、ユーザーがカバー部材を介してメンブレンスイッチを操作したのに、カバー部材の操作部位（特にカバー部材周辺）によっては実際にスイッチ操作したか否かをユーザーがスイッチ動作を実感できない場合があり、操作を再度行って再認識する煩わしさもある。このようにスイッチ動作を実感できないと、操作時に実際にスイッチ動作がない場合でも適正操作であったと勘違いすることもある。
【０００５】
ここで、適正操作があったことを表示装置に表示することも考えられるが、ユーザーによっては、急ぐあまりに表示装置での動作確認をしないままにその場を去ってしまう場合もあるので、状況によっては表示装置が有効利用されない場合もある。
【０００６】
本発明は上述の事情に鑑みてなされたものであり、その目的は、薄型で耐久性の向上を図り得、しかもユーザーが操作カバーのどの位置を押しても、確実にスイッチ動作させることができると共に、確実に操作時の押圧抵抗をユーザーにフィードバックできてスイッチ動作をした事実を実感させることができるスイッチ操作装置を提供することにある。
【課題を解決するための手段】
【０００７】
請求項１の発明においては、ユーザーが操作カバーの周縁部を押し操作すると、操作カバーの該周辺部が前記押し操作方向へ変位することで、該操作カバーにおけるメンブレンスイッチのスイッチ操作面と対向する部位と該スイッチ操作面との接点を中心として、該操作カバーの前記周縁部と反対側の部位が持ち上がる。すると、当該反対側の部位の近傍の凸部が、該凸部と前記メンブレンスイッチの凹部の壁との隙間分持ち上がって該壁に当たり、該壁を支点として操作カバーが、いわゆる「てこ」のように動作し、該操作カバーの前記スイッチ操作面と対向する部位が、該スイッチ操作面を押圧しメンブレンスイッチを動作させる。
【０００８】
このように、操作カバーの周縁部を押した場合に、該操作カバーが「てこ」のように動作し、メンブレンスイッチを押圧する抵抗が指に伝わるので、ユーザーは自分がメンブレンスイッチを動作させた事実を指先から把握することができるようになる。なお、操作カバーの中央部を押したときには、そのままメンブレンスイッチの抵抗が指に伝わる。従って、操作カバーのどの位置を押し操作しても、スイッチ動作をした事実を実感させることができる。
【０００９】
また、操作カバーを、本来的に薄厚なメンブレンスイッチのみに被せる構成であるので、薄型であり、且つ該操作カバーによりメンブレンスイッチの耐久性の向上を図り得る。しかもユーザーが操作カバーのどの位置を押しても、確実にスイッチ動作させることができる。
【００１０】
請求項２の発明は、前記凹部を操作カバーに設け、前記凸部をメンブレンスイッチに設ける構成としている。すなわち、前記メンブレンスイッチの両側面の、該メンブレンスイッチの中心部を間において対応する部位に、凸部を形成し、前記操作カバーは少なくとも両側に側板部を備え、該操作カバーの該両側の側板部の内側であって前記各凸部と対応する部位に、該側板部の基端部側から先端部側へ延び該先端側の端が壁部となっている切欠溝状をなし前記凸部が移動可能に遊嵌する凹部を形成する構成としている。
【００１１】
この請求項２の発明においても、請求項１の発明と同様の作用効果を奏する。
上記請求項１及び請求項２の発明では、メンブレンスイッチが平面視四角形をなす構成としたが、請求項３及び４の発明のように、平面視円形又は楕円形としても良い。この場合、請求項３の発明は凹部及び凸部の形成対象が請求項１の場合と同様とし、請求項４の発明は凹部及び凸部の形成対象が請求項２の場合と同様としている。これら請求項３及び４の発明では、デザイン性が請求項１及び２の発明と異なるが、これらと同様の作用効果を得ることができる。
【００１２】
又、請求項５は、前記メンブレンスイッチのスイッチ動作ストロークをＬｓｗ［ｍｍ］とし、該操作カバーの装着状態であって且つ該操作カバーの非操作時において、前記メンブレンスイッチの前記スイッチ操作面が、前記操作カバーにおいて該スイッチ操作面と対向する部位と接触した状態で、前記凸部と前記凹部の前記壁との離間距離をＡ［ｍｍ］とし、該メンブレンスイッチの前記一面の周縁部と前記操作カバーにあって該周縁部と対向する部位との離間距離をＢ［ｍｍ］とし、操作余裕距離をＣ［ｍｍ］としたとき、前記Ｂを、
Ｂ＝Ａ＋２×Ｌｓｗ＋Ｃ
に設定したところに特徴を有する。
【００１３】
この請求項５においては、スイッチ動作感を操作カバーのどの部分を押しても実感させることができる。つまり、前記操作余裕距離Ｃを設定していることで、操作カバーのどの部分を押しても、操作カバーの周縁部がメンブレンスイッチに当たる前に、操作カバーがメンブレンスイッチを必ずスイッチ動作させるようになり、もって、スイッチ動作感を操作カバーのどの部分を押しても確実に実感させることができる。
【００１４】
特に、この操作余裕距離Ｃが残ることによって、メンブレンスイッチ個々の製品ロット差によりスイッチ動作ストロークＬｓｗが個々に違っていても、製品ロット差に関係なくどのメンブレンスイッチ４でも確実にスイッチ動作させることができ、メンブレンスイッチの製品ロット差をカバーできる。
【発明を実施するための最良の形態】
【００１５】
以下、本発明の第１の実施例につき図１ないし図１２を参照して説明する。図２はセキュリティ装置１の制御ボックス２が建物の壁Ｗに組み込まれた斜視図であり、この制御ボックス２は、図３に示すように、その前面にパネル部２ａを有し、このパネル部２ａ裏面側に本体部２ｂを有する。この制御ボックス２は、前記パネル部２ａを壁Ｗの面に沿わせた形態で、本体部２ｂが壁Ｗ内に埋設されており、従って、壁Ｗには、薄肉厚のパネル部２ａのみが目視され、薄型のイメージを与えている。
【００１６】
前記制御ボックス２のパネル部２ａのほぼ中央部には、後述のスイッチ操作装置３により操作される平面視四角形の薄型のメンブレンスイッチ４が例えば接着材により取付けられている。
このメンブレンスイッチ４は、図７に示すように、その一面４ａの中心部４ｐを中心としてほぼ平面視円形のスイッチ操作面４ｂを有する。このスイッチ操作面４ｂは可撓性があり、該スイッチ操作面４ｂが押圧されると、メンブレンスイッチ４の図示しない内部接点がスイッチ動作するようになっている。なお、このメンブレンスイッチ４は、例えばセキュリティ動作をオンにしたり、オフにしたりする。あるいは、セキュリティ装置１で警報を発した場合に、その警報をオフすることなどに用いられる。
【００１７】
前記スイッチ操作装置３は、図１、図４〜図６に示すように、操作カバー５を備えており、この操作カバー５は、平面視が前記メンブレンスイッチ４とほぼ同形状であり、前記一面４ａ側を覆うように装着されている。この操作カバー５はユーザーによって押し操作されることによりメンブレンスイッチ４の前記スイッチ操作面４ｂを操作するものである。
前記操作カバー５において前記スイッチ操作面４ｂと対向する部位は、相手方向（メンブレンスイッチ４方向）へ湾曲状に膨出する形状に形成されている。この膨出する部分を膨出部５ａと称する。
【００１８】
該操作カバー５の前記メンブレンスイッチ４への装着構成について説明する。
前記メンブレンスイッチ４の両側面４ｃ、４ｄの、該メンブレンスイッチ４の前記中心部４ｐを間において対応する部位に、それぞれ該メンブレンスイッチ４の厚み方向へ延び前記一面４ａ側の端が壁（図６に一方を符号６Ａａで示し他方を符号６Ｂａで示す）となっている切欠溝状をなす凹部（図６及び図７に一方を符号６Ａで示し他方を符号６Ｂで示す）を形成している。
さらに、メンブレンスイッチ４の両側面４ｃ、４ｄには、この凹部６Ａ、６Ｂの対向方向とクロスする方向に、凹部７Ａ、７Ｂが同様に（相互間に前記中心部４ｐを間において対向するように）形成されている。
【００１９】
前記操作カバー５は両側に側板部５ｂ、５ｃを備えており、さらにこの側板部５ｂ、５ｃの先端部には垂直方向に張り出すフランジ部５ｄ、５ｅが形成されている。
該操作カバー５の前記側板部５ｂ、５ｃの内側であって前記各凹部６Ａ、６Ｂ、７Ａ、７Ｂと対応する部位には、それぞれ対応する凹部６Ａ、６Ｂ、７Ａ、７Ｂに遊嵌して該凹部６Ａ、６Ｂ、７Ａ、７Ｂ内を移動可能な凸部６Ｃ、６Ｄ、７Ｃ、７Ｄを形成している。
【００２０】
前記凹部６Ａ、６Ｂ、７Ａ、７Ｂ及び凸部６Ｃ、６Ｄ、７Ｃ、７Ｄにおいて、前記メンブレンスイッチ４の前記中心部４ｐを間において対応する２つの前記凹部６Ａ、６Ｂと、当該凹部６Ａ、６Ｂに遊嵌する２つの前記凸部６Ｃ、６Ｄとを一組とし、又、他の凹部７Ａ，７Ｂと他の凸部７Ｃ、７Ｄとを一組としており、もって、凹部及び凸部が複数組設けられている。
【００２１】
前記凸部６Ｃ、６Ｄを前記凹部６Ａ、６Ｂに遊嵌し、他の凸部７Ｃ、７Ｄを他の凹部７Ａ、７Ｂに遊嵌することにより前記操作カバー５を前記メンブレンスイッチ４に装着している。そして、この場合、図５及び図６に示すように、該操作カバー５の装着状態であって且つ該操作カバー５の非操作時において前記凸部６Ｃ、６Ｄ、７Ｃ、７Ｄが前記凹部６Ａ、６Ｂ、７Ａ、７Ｂの前記各壁（壁６Ａａ、６Ｂａのみ図示）と離間するように凹部及び凸部の関係が設定されている。
【００２２】
ここで、図１１において、前記メンブレンスイッチ４のスイッチ動作ストローク（スイッチ操作部４ｂが押圧されてからスイッチが動作するまでの距離）をＬｓｗ［ｍｍ］とし、該操作カバー５の装着状態であって且つ該操作カバー５の非操作時において、前記メンブレンスイッチ４の前記スイッチ操作面４ｂが、前記操作カバー５において該スイッチ操作面４ｂと対向する部位と接触した状態で、前記凸部６Ｃ、６Ｄ（７Ｃ、７Ｄ）と前記凹部６Ａ、６Ｂの前記壁６Ａａ、６Ｂａとの離間距離をＡ［ｍｍ］とし、該メンブレンスイッチ４の前記一面４ａの周縁部と前記操作カバー５にあって該周縁部と対向する部位との離間距離をＢ［ｍｍ］とし、操作余裕距離をＣ［ｍｍ］としたとき、前記Ｂを、
Ｂ＝Ａ＋２×Ｌｓｗ＋Ｃ
としている。
【００２３】
上記構成の本実施例において、ユーザーがスイッチ操作装置３の操作カバー５の周縁部（例えば図４のＱ部分）を押し操作すると、操作カバー５の該周辺部が前記押し操作方向へ変位することで、図１、図１１に示すように、該操作カバー５におけるメンブレンスイッチ４のスイッチ操作面４ｂと対向する部位と該スイッチ操作面４ｂとの接点（中心部４ｐ）を中心として、該操作カバー５の前記周縁部と反対側の部位が持ち上がる。すると、当該反対側の部位の近傍の凸部６Ｃが、該凸部６Ｃと前記メンブレンスイッチ４の凹部６Ａの壁６Ａａとの隙間（前記離間距離Ａ）分持ち上がって該壁６Ａａに当たる。このとき、操作カバー５の操作された側も距離Ａだけ下方へ変位する。
【００２４】
この後、操作カバー５の操作を継続することで、該壁６Ａａを支点として操作カバー５が、いわゆる「てこ」のように動作し、該操作カバー５において操作側の部分をさらに２×Ｌｓｗ変位させると、前記スイッチ操作面４ｂと対向する部位すなわち膨出部５ａが、該スイッチ操作面４ｂを押圧して、該スイッチ操作面４ｂを、スイッチ動作ストロークＬｓｗ変位させ、メンブレンスイッチ４がスイッチ動作する。このとき、操作カバー５の操作された側には、操作余裕距離Ｃ分の隙間が残る（図１２参照）。
【００２５】
なお、操作カバー５の中央部を押したときには、操作カバー５が前記スイッチ動作ストロークＬｓｗ押圧されたところで、メンブレンスイッチ４がスイッチ動作する。このとき、メンブレンスイッチ４からの抵抗が指に伝わる。従って、操作カバー５のどの位置を押し操作しても、スイッチ動作をした事実（スイッチ動作感）を実感させることができる。
【００２６】
このように本実施例のスイッチ操作装置３によれば、操作カバー５の周縁部を押した場合に、該操作カバー５が「てこ」のように動作し、メンブレンスイッチ４を押圧する抵抗が指に伝わるので、ユーザーは自分がメンブレンスイッチ４を動作させた事実を指先から把握することができるようになる。なお、操作カバー５の中央部を押したときには、そのままメンブレンスイッチ４からの抵抗が指に伝わる。従って、操作カバー５のどの位置を押し操作しても、スイッチ動作をした事実を実感させることができる。
【００２７】
また、操作カバー５を、本来的に薄厚なメンブレンスイッチ４のみに被せる構成であるので、薄型であり、薄肉のパネル部２ａと共に、全体の薄型化に寄与している。また、該操作カバー５によりメンブレンスイッチ４の耐久性の向上を図り得る。しかもユーザーが操作カバー５のどの位置を押しても、確実にスイッチ動作させることができる。
【００２８】
また、前記離間距離Ｂを、
Ｂ＝Ａ＋２×Ｌｓｗ＋Ｃ
に設定したから、スイッチ動作感を操作カバー５のどの部分を押しても実感させることができる。つまり、前記操作余裕距離Ｃを設定していることで、操作カバー５のどの部分を押しても、操作カバー５の周縁部がメンブレンスイッチ４に当たる前に、操作カバー５の膨出部５ａがメンブレンスイッチ４を必ずスイッチ動作させるようになり、もって、スイッチ動作感を操作カバー５のどの部分を押しても実感させることができる。
【００２９】
特に、この操作余裕距離Ｃが残ることによって、メンブレンスイッチ４個々の製品ロット差によりスイッチ動作ストロークＬｓｗが個々に違っていても、製品ロット差に関係なくどのメンブレンスイッチ４でも確実にスイッチ動作させることができ、メンブレンスイッチの製品ロット差をカバーできる。
【００３０】
なお、本発明は、上記第１の実施例に限られず、次のように変更して実施しても良い。前記スイッチ操作面と、前記操作カバーにおいて該スイッチ操作面と対向する部位とのうちの少なくとも一方を、相手方向へ湾曲状に膨出する形状に形成すれば良い。
【００３１】
また、本発明の第２の実施例として示す図１３〜図１５のように実施しても良い。すなわち、凹部１１Ａ、１１Ｂを操作カバー５に設け、凸部１１Ｃ、１１Ｄをメンブレンスイッチ４に設ける構成としている。具体的に説明する。前記メンブレンスイッチ４の両側面４ｃ、４ｄの、該メンブレンスイッチ４の中心部４ｐを間において対応する部位に、凸部１１Ｃ、１１Ｄを形成し、前記操作カバー５両側の側板部５ｂ、５ｃの内側であって前記各凸部１１Ｃ、１１Ｄと対応する部位に、該側板部５ｂ、５ｃの基端部側から先端部側へ延び該先端側の端が壁１１Ａａ、１１Ｂａとなっている切欠溝状をなし前記凸部１１Ｃ、１１Ｄが移動可能に遊嵌する凹部１１Ａ、１１Ｂを形成する構成としている。この第２の実施例においても、前述の第１の実施例と同様の作用効果を奏する。
【００３２】
又、上記第１の実施例はメンブレンスイッチが平面視四角形をなす構成としたが、本発明の第３の実施例として示す図１６のように、メンブレンスイッチ２１を平面視円形とし、操作カバー２２をほぼ同形状としている。この第３の実施例では、凹部２３Ａ、２３Ｂ、２４Ａ、２４Ｂをメンブレンスイッチ２１の側面２１ａに形成し、凸部２３Ｃ、２３Ｄ、２４Ｃ、２４Ｄを操作カバー２２の周縁部の側板部２２ａの内面に形成している。
【００３３】
この第３の実施例においては、デザイン性が第１の実施例と異なるが、第１の実施例と同様の作用効果を得ることができる。
この場合、凸部２３Ｃ、２３Ｄ、２４Ｃ、２４Ｄをメンブレンスイッチ２１に形成し、凹部２３Ａ、２３Ｂ、２４Ａ、２４Ｂを操作カバー２２に形成する構成としても良い。
【００３４】
又、前記メンブレンスイッチ及び操作カバーの平面視形状は、楕円形でも良い。
なお、前記第１の実施例における操作カバー５は、本発明の第５の実施例として示す図１７のように、４辺に側板部５ｅ〜５ｈを備えた構成でも良い。
【図面の簡単な説明】
【００３５】
【図１】本発明の第１の実施例を示し、図４の矢印J-J線に沿う断面図で、操作カバーの操作状態を示す図
【図２】セキュリティ装置の制御ボックスを壁に取り付けた状態を示す斜視図
【図３】制御ボックスの斜視図
【図４】スイッチ操作装置の平面図
【図５】図４の矢印Ｋ−Ｋ線に沿う断面図
【図６】図４の矢印Ｊ−Ｊ線に沿う断面図で、操作カバーの非操作状態を示す図
【図７】メンブレンスイッチの平面図
【図８】操作カバーの縦断側面図
【図９】操作カバーの下面図
【図１０】凹部及び凸部部分の縦断側面図
【図１１】寸法関係を説明するためにさらに拡大して示す図６相当図
【図１２】寸法関係を説明するためにさらに拡大して示す図１相当図
【図１３】本発明の第２の実施例を示す図６相当図
【図１４】図１相当図
【図１５】図１０相当図
【図１６】本発明の第３の実施例を示す図４相当図
【図１７】本発明の第４の実施例を示す操作カバーの斜視図
【符号の説明】
【００３６】
図面中、１はセキュリティ装置、２は制御ボックス、３はスイッチ操作装置、４はメンブレンスイッチ、４ｐは中心部、４ｂはスイッチ操作面、５は操作カバー、５ａは膨出部、６Ａ、６Ｂ、７Ａ、７Ｂは凹部、６Ａａ、６Ｂａ、７Ａａ、７Ｂａは壁、６Ｃ、６Ｄ、７Ｃ、７Ｄは凸部、１１Ａ、１１Ｂは凹部、１１Ｃ、１１Ｄは凸部、２１はメンブレンスイッチ、２２は操作カバー、２３Ａ、２３Ｂ、２４Ａ、２４Ｂは凹部、２３Ｃ、２３Ｄ、２４Ｃ、２４Ｄは凸部を示す。
【図１】
2010108690.tif 000003
【図２】
2010108690.tif 000004
【図３】
2010108690.tif 000005
【図４】
2010108690.tif 000006
【図５】
2010108690.tif 000007
【図６】
2010108690.tif 000008
【図７】
2010108690.tif 000009
【図８】
2010108690.tif 000010
【図９】
2010108690.tif 000011
【図１０】
2010108690.tif 000012
【図１１】
2010108690.tif 000013
【図１２】
2010108690.tif 000014
【図１３】
2010108690.tif 000015
【図１４】
2010108690.tif 000016
【図１５】
2010108690.tif 000017
【図１６】
2010108690.tif 000018
【図１７】
2010108690.tif 000019